(57)【要約】【要約書】【課題】  道路の不要部分を削るときに生じる削粉の飛散を防ぎ削粉の後始末を容易として作業能率の向上と安全管理を確実に行なえるようにする。【解決手段】  屈曲或は伸縮自在なパイプ等からなる連結具４の一端を吸引口として削取工具１３にて削粉が発生する周辺箇所に削粉が飛散しないよう設けて吸引可能とした吸引手段と、吸引方向に直交して仕切板を設けて吸引した削粉を選別して落下と吸引方向に同調するようにした削粉選別手段を連結具４・１５の一箇所若しくは数箇所に、又連結具１５他端に集塵機５を設けそれぞれ分別収納を可能とした分別収納手段と、削取作業の移動に搬送車両１４ａ及び台車１４ｂ等にて連動して対応するようにした移動手段との組合せとしたものである。【選択図】  図１
2005146818.tif 000002
【特許請求の範囲】
【請求項１】
道路不要部分の削取作業にて発生する削粉を、削粉が発生する箇所に吸引口を設けた屈曲或は伸縮自在なパイプ等からなる連結具を介して吸引するようにしたことを特徴とする道路不要部分削取による削粉処理方法。
【請求項２】
連結具の一箇所若しくは数箇所にて削粉粒子を大きい順に選別落下させ、最終削粉粒子を集塵機にそれぞれ分別収納するようにした請求項１記載の道路不要部分削取による削粉処理方法。
【請求項３】
吸引と分別収納を削取作業の移動に連動等にて対応するようにした請求項１及び請求項２記載の道路不要部分削取による削粉処理方法。
【請求項４】
屈曲或は伸縮自在なパイプ等からなる連結具の一端を吸引口として削取工具にて削粉が発生する周辺箇所に削粉が飛散しないよう設けて吸引可能とした吸引手段と、吸引方向に直交して仕切板を設けて吸引した削粉を選別して落下と吸引方向に同調するようにした削粉選別手段を連結具の一箇所若しくは数箇所に、又連結具他端に集塵機を設けそれぞれ分別収納を可能とした分別収納手段とを組合わせたことを特徴とする道路不要部分削取による削粉処理装置。
【請求項５】
削取作業の移動に搬送車両及び台車等にて連動して対応するようにした移動手段を組合せとした請求項４記載の道路不要部分削取による削粉処理装置。
【発明の詳細な説明】
【技術分野】
【０００１】  本発明は建築部前や道路沿いの境界にによるブロックの段差や路面の凸部等の不要部分を、削取装置にて削り取るときに生じる削粉の飛散を防いで除去等の処理をすることが出来るようにした道路不要部分削取による削粉処理方法及び削粉処理装置に関するものである。
【背景技術】
【０００２】    現在我国では世界にも類のないスピードで高齢化が進んでおり、住宅や道路のバリアフリー化が急務になって来ているためコンプレッサーによるハツリ作業等にて施工していたが、作業時間や期間を短縮してコストを押さえ、更に作業用
スペースを狭くする等より効率の良い削取作業方法や削取装置が色々考えられてきている。
【発明が解決しようとする課題】
【０００３】  しかしハツリ作業等による作業は勿論、新しく考えられた削取作業方法や削取装置によるカッターやホイールでの削取作業では、削り取った部分が削粉となって飛散するため、飛散した削粉が作業者や通行人に当るなどするため、作業能率の低下や怪我のもとになる等安全問題や環境問題或は削取作業上非常に不都合を感じていた。
【課題を解決するための手段】
【０００４】  本発明はこのような不都合を解消し、カッターやホイールでの削取作業で発生する削粉の飛散を吸収にて無くし且つ、安全に作業や通行が出来る道路不要部分削取による削粉処理方法及び削粉処理装置を提供せんとするものである。
方法としては、
カッター或はホイール等の削取工具の道路不要部分の削取作業にて発生する削粉を、削粉が発生する箇所に吸引口を設けた屈曲或は伸縮自在なパイプ等からなる連結具を介して吸引し、連結具の一箇所若しくは数箇所にて削粉粒子を大きい順に選別落下させ、最終削粉粒子を集塵機にそれぞれ分別収納し、吸引と分別収納を削取作業の移動に連動等にて対応するようにしたものである。
【０００５】  このような方法で削取作業を行なうと、削取工具にて削り取った削粉を吸引口より吸引するため削粉の飛散を防ぎ、作業者や通行人の安全特に一番危険である削取工具の削り取りによって削粉が生じる後方の安全を確保することが出来る。  このため作業者は作業に集中して作業能率を高めることが出来ると共に、通行人は削取作業に関係なく安心して通行することが出来る。
削取作業の進行に伴って削り取り場所が移動しても、連結具の屈曲或は伸縮或は連動等にて対応するため頻繁に移動に対する修正作業の必要がなく作業者の雑用的な余分の作業負担を軽くする。
吸引した削粉は、吸引中にそれぞれ選別によって分別収納するので適した素材として利用でき、削粉の収拾処理が簡単に行なえ経済的である。
【０００６】  装置としては、
屈曲或は伸縮自在なパイプ等からなる連結具の一端を吸引口としてカッター或はホイール等の削取工具にて削粉が発生する周辺箇所に削粉が飛散しないよう設けて吸引可能とした吸引手段と、吸引方向に直交して仕切板を設けて吸引した削粉を選別して落下と吸引方向に同調するようにした削粉選別手段を連結具の一箇所若しくは数箇所に、又連結具他端に集塵機を設けそれぞれ分別収納を可能とした分別収納手段と、削取作業の移動に搬送車両及び台車等にて連動して対応するようにした移動手段との組合せとしたものである。
【０００７】  この装置の使用に当たっては、吸引手段によって削取工具にて削り取った削粉を吸引口より吸引して削粉の飛散を防ぎ、作業者や通行人の安全特に一番危険である削取工具の削り取りによって削粉が生じる後方の安全を確保することが出来る。
又、吸引手段によって吸引した削粉を削粉選別手段によって吸引中にそれぞれ選別し、
更に分別収納手段によって分別収納するので適した素材として容易に搬送することが出来、削粉の収拾処理の手間が省け経済的である。
そして、移動手段と連結具の屈曲或は伸縮によって削取作業の進行に伴って削り取り場所が移動してもその移動に対応することが出来るため、頻繁に移動に対する修正作業の必要がなく作業者の雑用的な余分の作業負担を軽くする。
【発明の効果】
【０００８】  削取工具にて削り取った削粉を吸引口より吸引し削粉の飛散を防ぎ、作業者や通行人の安全特に一番危険である削取工具の削り取りによって削粉が生じる後方の安全を確保することが出来る。  このため作業者は作業に集中して作業能率を高めることが出来ると共に、通行人は削取作業に関係なく安心して通行することが出来る。
又、削取作業の進行に伴って削り取り場所が移動しても、連結具の屈曲或は伸縮或は連動等にて対応するため頻繁に移動に対する修正作業の必要がなく作業者の雑用的な余分の作業負担を軽くする。
更に吸引した削粉は、吸引中にそれぞれ選別によって分別収納するので産業界の適した分野の素材として容易に搬送利用でき、削粉の収拾処理が簡単に行なえ経済的である。
【発明を実施するための最良の形態】
【０００９】  カッター或はホイール等の削取工具の道路不要部分の削取作業にて発生する削粉を、削粉が発生する箇所特に削取工具の削取後方箇所に吸引口を設けた屈曲或は伸縮自在なパイプ等からなる連結具を介して吸引し、連結具の一箇所若しくは数箇所にて削粉粒子を大きい順に選別落下させ、最終削粉粒子を集塵機にそれぞれ分別収納し、吸引と分別収納を削取作業の移動に連動等にて対応するようにしたものである。
【実施例１】
【００１０】  以下本発明装置の一実施例を図面について説明する。
図中１は削粉除去装置全体を示し、２は吸引手段を具体化した吸引本体３と連結具４と集塵機５とブロワー６とからなる吸引装置であって、３は吸引本体であって、箱状で開口を下部として吸引口７とした覆体８の一端に吸引穴３ａを介して接続部９ａを先端に有する接続体９を設け、接続体９を接続した箇所をのぞく三側面下方に刷毛状の防止具１０ａ・１０ｂを取付板１１ａ・１１ｂで締結具によって設けると共に、角部の二箇所に弾力を有する覆材１２を設けて削取工具１３を覆うよう設置している。【００１１】  ４は屈曲・伸縮自在のパイプからなる連結具てあって、一端を前記接続部９ａに嵌合にて接続している。
５は集塵機であって、下部一端に連結具１５の一端を接続している。
６はブロワーであって、集塵機５の上部他端と連結器具６ａにて連結器具６ａの接続部に網目の微細な遮断板を設けて連結し、吸引本体３で発生する削粉の吸引を可能としている。
１４は移動手段を具体化した搬送車両１４ａ及び搬送車両１４ａに載置可能とした台車１４ｂからなる移動装置であって、台車１４ｂ上に集塵機５とブロワー６を設置している。【００１２】  １６は分別収納手段を具体化した分別収納装置全体を示し、１７は削粉選別手段を具体化した削粉選別器具であって、円筒の開口を下方とし開口にフランジ１９を環状に設けた本体１８の上部外周に抜穴１８ｂを介して接続管２０を二箇所に直列となるよう対応突設し、接続管２０の管芯に直交して仕切板２１を上方に隙間がないよう本体１８内に設け、仕切板２１の両側の上部板１８ａの二箇所に覗窓１８ｃを接続管２０の管芯に直列となるよう穿設し、接続管２０に連結具４の他端と連結具１５の他端をそれぞれ接続を可能としている。【００１３】  ２３は透明の窓覆であって、覗窓１８ｃを蓋し環状の押板２４にて押さえ締結具２５（図では一箇所の表示で他は省略している）にて設けている。
２６は環状のパッキンであって、フランジ１９下面に外周先端が突き出るよう抑板２７にて抑え締結具２８（図では一箇所の表示で他は省略している）にて設けドラム管２９上に設置可能としている。【００１４】  使用に当たっては、移動装置１４の台車１４ｂに設置したドラム管２９上に密封となるよう設置した削粉選別器具１７を集塵機５に近い連結具４の途中に設け、接続管２０に連結具４・１５をそれぞれ接続してブロワー６を作動させ、削取工具１３による削取作業を開始する。
すると削取工具１３にて削り取られた削粉２２は、吸引本体３の覆体８・防止具１０ａ・１０ｂ・覆材１２によって外え飛散することなく吸引穴３ａより連結具４を通り削粉選別器具１７に達する。【００１５】  そして削粉選別器具１７に達した削粉２２は、本体１８内に入って仕切板２１に当たり、粒子の大きい重い削粉２２ａは下方に落下してドラム管２９に蓄積し、粒子の小さい軽い削粉２２ｂは吸引によって仕切板２１の下方を通って連結具１５を介して集塵機５に達して蓄積される。
又、削取作業が進んで削取場所が移動しても、短距離の移動であれば連結具４の伸縮にて対応することが出来ると共に長距離であれば移動装置１４の搬送車両１４ａを動かして対応することが出来るので、削取作業を中止することなく継続して行なえ、削り取った削粉２２は削粉選別器具１７によって選別し、ドラム管２９と集塵機５に分別収納することが出来る。
【図面の簡単な説明】
【００１６】
【図１】実施例の概略正面図
【図２】実施例の吸引本体の一部を破断した正面図
【図３】実施例の吸引本体の平面図
【図４】実施例の吸引本体の一部を破断した左側面図
【図５】実施例の削粉選別具の一部を破断した正面図
【図６】実施例の削粉選別具の一部を破断した平面図
【符号の説明】
【００１７】  １    削取除去装置
２    吸引装置
３    吸引本体
３ａ  吸引穴
４    連結具
５    集塵機
６    ブロワー
６ａ  連結器具
７    吸引口
８    覆体
９    接続体
９ａ  接続部
１０ａ  防止具
１０ｂ  防止具
１１ａ  取付板
１１ｂ  取付板
１２    覆材
１３    削取具
１４    移動装置
１４ａ  搬送車両
１４ｂ  台車
１５    連結具
１６    分別収納装置
１７    選別器具
１８    本体
１８ａ  上部板
１８ｂ  抜穴
１８ｃ  覗穴
１９    フランジ
２０    接続管
２１    仕切板
２２    削粉
２２ａ  重い削粉
２２ｂ  軽い削粉
２３    窓覆
２４    押板
２６    パッキン
２７    抑板
２９    ドラム缶
【図１】
2005146818.tif 000003
【図２】
2005146818.tif 000004
【図３】
2005146818.tif 000005
【図４】
2005146818.tif 000006
【図５】
2005146818.tif 000007
【図６】
2005146818.tif 000008